(57)【要約】【課題】  ライブ映像と再生映像をプレイリストに従い切り換えて送信する。【解決手段】  撮像部（１２）が被写体の画像信号を出力する。画像信号は、Ａ／Ｄ変換部（１４）及び信号処理部（１６）により処理され、混合部（３０）に印加される。圧縮部（１８）は、信号処理部（１６）の出力画像信号を圧縮し、記録再生部（２０）が圧縮画像データを記録媒体（２２）に記録し、再生する。プレイリスト編集部（５２）を用いて、プレイリストメモリ（５４）のプレイリストを編集する。システム制御装置（５０）は、プレイリストメモリ（５４）のプレイリストに基づき混合部（３０）と記録再生部（２０）の再生を制御する。混合部（３０）は、信号処理部（１６）からのライブ映像又は記録再生部（２０）からの再生映像を選択し、データ送信部（３２）に供給する。【選択図】  図１
2007259370.tif 000002
【特許請求の範囲】
【請求項１】
ライブ映像データを出力する撮像手段（１２，１４，１６）と、
記録媒体に記録される映像データを再生し、再生映像データを出力する映像再生手段（２０）と、
当該ライブ映像データと当該再生映像データを選択する選択手段（３０）と、
当該選択手段により選択される映像データを送信する送信手段（３２）と、
プレイリストに従い当該映像再生手段及び当該選択手段を制御する制御手段（５０）
とを具備することを特徴とする映像送信装置。
【請求項２】
更に、当該プレイリストを編集するプレイリスト編集手段（５２）を具備することを特徴とする請求項１に記載の映像送信装置。
【請求項３】
更に、当該選択手段が当該ライブ映像データと当該再生映像データのいずれを選択しているかをユーザに通知する通知手段（２６、５８、５９）を具備することを特徴とする請求項１又は２に記載の映像送信装置。
【請求項４】
当該ライブ映像データ及び当該再生映像データが、圧縮されていることを特徴とする請求項１乃至３の何れか１項に記載の映像送信装置。
【発明の詳細な説明】
【技術分野】
【０００１】
本発明は、映像送信装置に関し、より具体的には、ライブ映像と記録媒体からの再生映像を選択的に送信可能な撮像装置に関する。
【背景技術】
【０００２】
自治体における要介護者の生活状況を把握するサービス、又は来訪者の取次ぎや異常の早期発見が求められる集合住宅管理サービスといった分野では、一人の住民と一人の管理者の間で互いの表情を確認しながら一対一で会話するテレビ電話系サービスと、複数の住民に一人の管理者から一度に映像音声付き情報を配信するクローズド簡易放送系サービスとの両立が必要になってきている。
【０００３】
ＣＡＴＶ網とインターネットを組み合わせると、テレビ電話系サービスとクローズド簡易放送系サービスの両立が実現できるが、送信側と受信側に複雑な設定と操作が必要であり、一般住民の大多数にとって手軽に利用できるものではなかった。取扱いが簡単で、かつ安価なコミュニケーションツールとシステムの構築が望まれる。
【０００４】
テレビ電話機能を搭載したデジタルカメラが、特許文献１に記載されている。プレイリストと映像、音声データを親局から支局へ配信する放送配信システムが、特許文献２に記載されている。
【特許文献１】特開２００４−１７２９８８号公報
【特許文献２】特開２００１−２３０７４１号公報
【発明の開示】
【発明が解決しようとする課題】
【０００５】
従来、予め作成したプレイリストに従い、現在、撮像している映像（ライブ映像）の送信と録画映像の送信を、簡単な操作で実現する撮像装置又は映像送信装置は実現されていない。
【０００６】
本発明は、簡単な操作でライブ映像と録画映像を切り替えて送信できる映像送信装置を提示することを目的とする。
【課題を解決するための手段】
【０００７】
上記の目的を達成するために、本発明に係る映像送信装置は、ライブ映像データを出力する撮像手段と、記録媒体に記録される映像データを再生し、再生映像データを出力する映像再生手段と、当該ライブ映像データと当該再生映像データを選択する選択手段と、当該選択手段により選択される映像データを送信する送信手段と、プレイリストに従い当該映像再生手段及び当該選択手段を制御する制御手段とを具備することを特徴とする。
【発明の効果】
【０００８】
本発明によれば、プレイリストに基づき、記録媒体からの再生と、ライブ映像と再生映像の切替えを制御するので、手軽にライブ映像と再生映像を送信できる。
【発明を実施するための最良の形態】
【０００９】
以下、図面を参照して、本発明の実施例を詳細に説明する。
【実施例１】
【００１０】
図１は、本発明の一実施例に係るカムコーダの概略構成ブロック図である。実線は映像音声データの流れを示し、破線は制御信号を示す。なお、音声信号に関する部分は、省略してある。
【００１１】
カムコーダ１０は、記録再生機能付きのカメラであり、いわゆるデジタルビデオカメラ等である。カムコーダ１０は、撮像部１２、Ａ／Ｄ変換部１４、信号処理部１６、圧縮部１８、記録再生部２０、記録媒体２２、伸長部２４、液晶パネル２６、混合部（又はセレクタ）３０、データ送信部３２、システム制御装置５０、プレイリスト編集部５２、プレイリストメモリ５４、タイマ５６及び発光器５８及びスピーカ５９を具備する。
【００１２】
撮像部１２は、ＣＣＤ（Ｃｈａｒｇｅ  Ｃｏｕｐｌｅｄ  Ｄｅｖｉｃｅｓ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子１２ａと、撮像素子１２ａの撮像面に被写体光学像を結像する、オートフォーカス及びズーム機能を有するレンズ１２ｂを具備する。
【００１３】
Ａ／Ｄ変換部１４は、撮像部１２からのアナログ画像信号をデジタル信号に変換する。Ａ／Ｄ変換部１４には、ＣＤＳ（２重相関サンプリング）回路及びＡＧＣ（オートゲインコントロール）回路を組み込んでも良い。
【００１４】
信号処理部１６は、Ａ／Ｄ処理部１４からのデジタル画像信号を処理し、処理済みの画像信号を圧縮部１８と液晶パネル２６に供給する。信号処理部１６は、画像信号に色補間処理、γ（ガンマ）補正及びホワイトバランス調整等を行う。これらの処理のために、信号処理部１６は、半導体メモリ、ＶＲＡＭ（Ｖｉｄｅｏ  Ｒａｎｄｏｍ  Ａｃｃｅｓｓ  Ｍｅｍｏｒｙ）又はバッファメモリ等からなるメモリ１６ａを具備する。
【００１５】
圧縮部１８は、ＭＰＥＧ２、Ｍｏｔｉｏｎ  ＪＰＥＧ又はＪＰＥＧ２０００等の画像圧縮方式で信号処理部１６からの画像信号を圧縮符号化する。
【００１６】
記録再生部２０は、圧縮部１８からの圧縮画像データを記録媒体２２に記録し、記録媒体２２に記録される圧縮画像データを再生する。記録媒体２２は、ハードディスク、光ディスク、光磁気ディスク、磁気テープ又は不揮発性のメモリカード等である。
【００１７】
伸長部２４は、記録再生部２０からの再生された圧縮画像データを伸長する。伸長部２４から出力される画像信号は、いわゆる再生画像信号であり、液晶パネル２６に印加される。
【００１８】
液晶パネル２６は、印加されるカメラ画像信号（信号処理部１６の出力画像信号）及び再生画像信号（伸長部２４からの画像信号）を画像として表示する。混合部３０は、後述するプレイリストメモリ５４に基づき、ライブ映像データを搬送するライブソースファイル（Ｌ１，Ｌ２，Ｌ３）と、録画映像データを搬送するビデオソースファイル（Ｖ１，Ｖ２，Ｖ３）を混合する。混合部３０はまた、システム制御装置５０からの文字ベースのＣＵＩ（Ｃｈａｒａｃｔｅｒ−ｂａｓｅｄ  Ｕｓｅｒ  Ｉｎｔｅｒｆａｃｅ）又はグラフィックベースのＧＵＩ（Ｇｒａｐｈｉｃａｌ  Ｕｓｅｒ  Ｉｎｔｅｒｆａｃｅ）等も混合する。
【００１９】
データ送信部３２は、ＩＥＥＥ１３９４、電話線、ＩＥＥＥ８０２．１１又はブルートゥース等の通信インターフェースを使って、外部の電子機器と通信を行う。
【００２０】
システム制御装置５０は、カムコーダ１０の全体を制御する。プレイリスト編集部５２は、プレイリスト（ＰＬＳＴ）を編集するために使用されるダイヤル、スイッチ又はボタン等である。プレイリストメモリ５４は、作成されたプレイリストと番組の構成プログラムを記憶する。
【００２１】
タイマ５６は、カムコーダ１０で設定されている現在の時刻を計時する。発光器５８は、赤色と青色のＬＥＤ（発光ダイオード）を具備し、点灯／点滅及びその色により操作者に種々の警告信号を発信する。他にも、カムコーダ１０は、撮像スイッチ、記録スイッチ及び再生スイッチ等を具備し、これらは、撮像モード、記録モード及び再生モード等を操作するのに使用される。
【００２２】
カムコーダ１０の撮像、記録及び再生の基本動作を説明する。撮像モードでは、撮像部１２は被写体の画像信号を出力し、Ａ／Ｄ処理部１４が、撮像部１２の出力画像信号をデジタル信号に変換して信号処理部１６に印加する。信号処理部１６は、Ａ／Ｄ変換部１４からの画像信号にγ補正及び色補正等の周知のカメラ信号処理を施す。信号処理部１６から出力される画像データは、信号処理部１６に内蔵されるメモリ１６ａに一時的記憶され、記憶順に液晶パネル２６の画面に表示される。これにより、ユーザは、被写体の範囲と構図を確認できる。
【００２３】
記録モードでは、メモリ１６ａに一時記憶される画像データは、圧縮部１８にも転送される。圧縮部１８は、信号処理部１６からの画像データを圧縮符号化し、圧縮画像データを記録再生部２０に転送する。記録再生部２０は、圧縮画像データを記録媒体２２に記録する。このようにして、一連の画像からなる映像データが、圧縮状態で記録媒体２２に格納される。
【００２４】
再生モードでは、記録再生部２０は、記録媒体２２から指定の画像の圧縮画像データを読み出し、伸長部２４に転送する。伸長部２４は、記録再生部２０からの圧縮画像データを伸長して画像データを復元する。復元された画像データは、液晶パネル２６に印加される。これにより、再生画像が液晶パネル２６の画面に表示される。
【００２５】
ここで、図２及び図３を用いて、プレイリスト作成及び番組制作準備を説明する。図２は番組構成を示すタイムチャートであり、図３はプレイリスト（ＰＬＳＴ）を示す図である。ここで、ライブソースファイルは生放送、生中継又は生演奏等の映像データを指し、ビデオソースファイルは過去に撮像され記録媒体２２に記録された映像データを指す。
【００２６】
図２は、ライブソースファイルとビデオソースファイルが３０秒毎に切り替わる番組を制作する状況例を示す。このために、操作者は、プレイリスト編集部５２を用いて、プレイリストメモリ５４のプレイリストを図３に示すように編集する。
【００２７】
プレイリストは、シーンＩＤ、ＳＴＡＲＴ  ＴＩＭＥ、ＴＩＴＬＥ、ＩＮ、ＯＵＴのフィールドから構成されている。シーンＩＤは、映像データに付与される連続した番号である。ＳＴＡＲＴ  ＴＩＭＥは放映時間が開始する時間を示し、ＴＩＴＬＥはシーン毎の名称である。ＩＮはビデオソースファイルのトリミング開始時間を示し、ＯＵＴはビデオソースファイルのトリミング終了時間を示す。
【００２８】
さらに、プレイリストには、チャックファイルカウンタ（ライブファイルカウンタ、ビデオファイルカウンタ）も記述されており、これにより、ライブソースファイルの数とビデオソースファイルの数が管理される。これらの変数を変更することで、番組のプログラムを組むことができる。
【００２９】
図４乃至図８を用いて、ライブソースファイルとビデオソースファイルの混合及び配信処理を説明する。図４及び図５は、本実施例に係る混合及び配信動作を示すフローチャートである。図６はライブモードの画面例を示す図であり、図７は、ビデオモードの画面例を示す図である。図８は、番組構成の説明例を示すタイムチャートである。
【００３０】
システム制御装置５０は、プレイリストメモリ５４からプレイリストを読み込む（Ｓ１０）。タイマ５６がライブソース開始１分前の時刻（２００５年６月２２日２０時２９分００秒）になったか否かを判別する（Ｓ１１）。この時刻になると（Ｓ１１）、プレイリスト（ＰＬＳＴ）を送信する（Ｓ１２）。プレイリストのチェックファイルカウンタをプリセットし（Ｓ１３）、ファイルの種類をチェックする（Ｓ１４）。
【００３１】
ファイルがライブソースファイルの場合（Ｓ１４）、タイマ５６がライブソース開始の時刻（２００５年６月２２日２０時３０分００秒）になったか否かを判別する（Ｓ２０）。この時刻になると（Ｓ２０）、発光器５８が赤く点灯するとともに、スピーカ５９から「ライブモード開始」という音声が出力され、ライブモード（生中継）が開始する（Ｓ２１）。
【００３２】
ライブモードでは、撮像部１２は、被写体の画像信号を出力し、Ａ／Ｄ変換部１４が、撮像部１２の出力画像信号をデジタル信号に変換して信号処理部１６に印加する。信号処理部１６は、Ａ／Ｄ変換部１４からの画像信号にγ補正及び色補正等の周知のカメラ信号処理を施す。
【００３３】
信号処理部１６から出力される画像データは、信号処理部１６に内蔵されるメモリ１６ａに一時的記憶され、圧縮部１８に転送される。圧縮部１８は、画像データを圧縮し、圧縮画像データを生成する。圧縮部１８から出力される圧縮画像データは、混合部３０に転送され、データ送信部３２を介してライブソースファイル（Ｌ１）として外部に送信される（Ｓ２２）。ライブファイルカウンタがインクリメントされる（Ｓ２３）。
【００３４】
同時に、混合部３０から出力されるライブソースファイル（Ｌ１）は、伸長部２４にも転送される。伸長部２４は、この圧縮画像データを伸長して画像データを復元する。復元された画像データは、液晶パネル２６に印加され、図６に示すように表示される。これにより、送信画像が液晶パネル２６に表示され、撮影者が、現に送信されている画像の内容を確認できる（Ｓ２２）。勿論、液晶パネル２６は、撮影画像そのもの、即ち、信号処理部１６から出力される画像信号を表示しても良い。
【００３５】
システム制御部５０は、タイマ５６がライブソース終了５秒前の時刻（２００５年６月２２日２０時３０分２５秒）になったか否かを判別する（Ｓ２４）。この時刻になると（Ｓ２４）、発光部５８が赤く点滅するとともに、スピーカ５９から「ライブモード終了」という音声が出力され、操作者にライブモードが終了することを示す（Ｓ２５）。そして、プレイリストのチェックファイルカウンタに基づき、未送信のライブソースファイル又はビデオソースファイルがあるか否かを判別する（Ｓ２６）。未送信ファイルがあると（Ｓ２６）、ステップＳ１４に戻る。
【００３６】
一方、ファイルがビデオソースファイルの場合（Ｓ１４）、システム制御部５０は、タイマ５６がビデオソース開始の時刻（２００５年６月２２日２０時３０分３０秒）になったか否かを判別する（Ｓ３０）。この時刻になると（Ｓ３０）、発光器５８が青く点灯するとともに、スピーカ５９から「ビデオモード開始」という音声が出力され、ビデオモード（過去の映像）の開始がユーザに通知される（Ｓ３１）。
【００３７】
ビデオモードでは、記録再生部２０は、記録媒体２２から指定の画像の圧縮画像データを読み出し、混合部３０に転送する。混合部３０は、データ送信部３２を介してビデオソースファイル（Ｖ１）を送信する（Ｓ３２）。ビデオファイルカウンタがインクリメントされる（Ｓ３３）。
【００３８】
混合部３０から出力されるビデオソースファイル（Ｖ１）は、伸長部２４にも転送される。伸長部２４は、このファイルの圧縮画像データを伸長して画像データを復元する。復元された画像データは、液晶パネル２６に印加され、図７に示すように表示される。これにより、送信される画像が、液晶パネル２６に表示される（Ｓ３２）。
【００３９】
システム制御装置５０は、タイマ５６がビデオソース終了５秒前の時刻（２００５年６月２２日２０時３０分５５秒）になったか否かを判別する（Ｓ３４）。この時刻になると（Ｓ３４）、発光器５８が青く点滅するとともに、スピーカ５９から「ビデオモード終了」という音声が出力され、操作者にビデオモードの終了を通知する（Ｓ３５）。
【００４０】
そして、プレイリストのチェックファイルカウンタに基づき、未送信のライブソースファイル又はビデオソースファイルがあるか否かを判別する（Ｓ２６）。未送信ファイルがあると（Ｓ２６）、ステップＳ１４に戻る。
【００４１】
このようにして、プレイリストに基づき、ライブモードとビデオモードを混在させることができ、液晶パネル２６に現に送信されている映像データの画像を表示することができる。
【００４２】
また、発光器５８の色と発光により又はスピーカ５９の音声により、送信状態の識別ができるので、撮影者は、進行状況を容易に確認でき、話のテンポ等を適切に調節できる。
【００４３】
なお、本実施例では、図６及び図７に液晶パネル２６の表示例を示したが、図９に例示するように、プレイリスト上の現在出力中の位置を三角印等で表示してもよい。
【図面の簡単な説明】
【００４４】
【図１】本発明の一実施例に係るカムコーダの概略構成ブロック図である。
【図２】番組構成を示すタイムチャートである。
【図３】プレイリスト（ＰＬＳＴ）を示す図である。
【図４】本実施例の混合配信動作を示すフローチャートの一部である。
【図５】本実施例の混合配信動作を示すフローチャートの一部である。
【図６】ライブモードの画面例を示す図である。
【図７】ビデオモードの画面例を示す図である。
【図８】番組構成を示すタイムチャートである。
【図９】液晶パネルの表示例である。
【符号の説明】
【００４５】
１０  カムコーダ
１２  撮影部
１４  Ａ／Ｄ変換部
１６  信号処理部
１８  圧縮部
２０  記録再生部
２２  記録媒体
２４  伸長部
２６  液晶パネル
３０  ファイル混合部
３２  データ送信部
５０  システム制御装置
５２  プレイリスト編集部
５４  プレイリストメモリ
５６  タイマ
５８  発光器
５９  スピーカ
【図１】
2007259370.tif 000003
【図２】
2007259370.tif 000004
【図３】
2007259370.tif 000005
【図４】
2007259370.tif 000006
【図５】
2007259370.tif 000007
【図６】
2007259370.tif 000008
【図７】
2007259370.tif 000009
【図８】
2007259370.tif 000010
【図９】
2007259370.tif 000011